(57)【要約】  電気部品のためのハウジングは、縁部と縁部とで接続される一連の押出パネルによって形成される。第１縁部は、内部壁および外部壁によって定義されるスロットを含み、第２縁部は、スロットに挿入されたブレードを含み、該ブレードおよび柔軟な壁は、共働する肩部を含む。ブレードおよびスロットは、リブがジョイントで外面を密封するために外部の凹部に係合する場合の外面に対する角度で存在する。ブリッジ部材は、広がるのを防ぐためにジョイントまで及ぶが、一方で柔軟な壁をロックし、内部部品を支持する。ハウジングは、ポストまたはポスト上のレセプタクルを形成することができる。ブリッジ部材は、ハウジングのための内部構造体を形成するように、プレートを介して伸びるねじによってエンドプレートに接続される。接続したパネルのいくつかは、冷却ダクトを形成する冷却フィンを含むことができる。【選択図】図１
2013534128.tif 000002
【特許請求の範囲】
【請求項１】
側端縁での接続のために並行して配された複数の押出パネルを含む、ハウジングであって、
該パネルの各々は、第１側端縁に沿った雄型接続部材および第２側端縁に沿った雌型接続部材を有し、
該雄型接続部材は、ジョイントをその間に形成するために縁部に対して直角での方向で挿入によって該雌型接続部材へとスナップ固定され、
該パネルは、収容された部品を囲むためのパネルによって定義される囲いを形成するように共働することを特徴とするハウジング。
【請求項２】
前記パネルの各々の前記雄型接続部材が、同一の断面を有し、前記パネルの各々の前記雌型接続部材も同一の断面を有することを特徴とする、請求項１に記載のハウジング。
【請求項３】
前記ハウジングが、前記パネルの上縁部を係合するための上端部キャップ、および前記パネルの底縁部を係合するための底端部キャップを含み、ここで、該上端部および底端部のキャップは、一緒に接続する区画に分けられ、各区画がパネルのそれぞれの１つの縁部を受けるように配されることを特徴とする、請求項１または２に記載のハウジング。
【請求項４】
前記上端部キャップの区画が、ラップジョイントを作り出すために一緒に摺動することを特徴とする、請求項３に記載のハウジング。
【請求項５】
前記上端部および底端部のキャップが同一であることを特徴とする、請求項３または４に記載のハウジング。
【請求項６】
各々が、受入れ壁の外側縁部のまわりの最も外側の従属性の垂直面壁および前記パネルの内側縁部を係合し位置付けるための直立した内部に位置する壁を備えた水平な受入れ壁を含むことを特徴とする、請求項３、４または５に記載のハウジング。
【請求項７】
複数のブリッジ部材が提供され、その各々が、パネルの間のジョイントのそれぞれの１つで該パネルをブリッジ接合し、ここで、該パネルが、各々、該ブリッジ部材の挿入部を受けるためのレセプタクルを含み、その結果、該ブリッジ部材は、該ジョイントが広がるのを抑えるために、該ハウジングの内表面の内部の該ジョイントをブリッジ接合することを特徴とする、請求項１乃至６のいずれかに記載のハウジング。
【請求項８】
前記ブリッジ部材が、前記パネルに沿った場所に摺動することを特徴とする、請求項７に記載のハウジング。
【請求項９】
前記ブリッジ部材が、前記パネルの内部に位置付けられる部品のための支持部を形成することを特徴とする、請求項７または８に記載のハウジング。
【請求項１０】
前記ブリッジ部材が、前記パネルと前記支持部材との間の接続を提供するように、パネルに対して通常直角で伸びる支持部材に一端で接続されることを特徴とする、請求項７、８または９に記載のハウジング。
【請求項１１】
前記ブリッジ部材が、前記パネルに対して通常直角で伸びる２つの端部支持部材のそれぞれの１つに各端部で接続され、その結果、該２つの端部支持部材およびブリッジ部材が、前記パネル内で支持構造体を形成することを特徴とする、請求項７、８、９または１０に記載のハウジング。
【請求項１２】
前記パネルの少なくとも１つが、通常そこから外側に伸びる複数の冷却フィンを支持することを特徴とする、請求項１乃至１１のいずれかに記載のハウジング。
【請求項１３】
前記パネルは、前記冷却フィンが前記ハウジングの内側上に冷却ダクトを形成するように配されることを特徴とする、請求項１２に記載のハウジング。
【請求項１４】
前記パネルは、前記冷却フィンが冷却ダクトを有する外側ハウジングの内側で冷却ダクトを形成するように配され、該冷却ダクトおよびハウジングが、該パネルのそれぞれの１つによって形成されていることを特徴とする、請求項１２または１３に記載のハウジング。
【請求項１５】
前記パネルが、直立した伸長ポストを形成するために接続されることを特徴とする、請求項１乃至１４のいずれかに記載のハウジング。
【請求項１６】
前記伸長ポストは、引き込まれた部分からのスリーブ部材内の垂直移動のための垂直のスリーブ部材に取り付けられ、該引き込まれた部分において、該ポストが、該スリーブ部材内の展開した位置に含まれ、該展開した位置において、該ポストは、該スリーブ部材から上に向かって立ち、前記収容された部品の操作部品をユーザーに提示することを特徴とする、請求項１５に記載のハウジング。
【請求項１７】
前記パネルの少なくとも１つは、電気プラグ用のレセプタクルを支持する電気コンセント部材を受けるための開口部を有し、ここで、該電気コンセント部材が、該パネルから内側に窪んだ複数の壁を形成し、該電気コンセント部材が、該開口部の上部から下方および内側に傾斜される該壁の１つに取り付けられることを特徴とする、請求項１乃至１６のいずれかに記載のハウジング。
【請求項１８】
ビークルの電源コンセントを充電するための電源を提供するように配された複数の電気部品、
該電気部品を取り囲む囲いを含むハウジングであって、
該囲いは、伸長ポストを定義し、
該ポストは、上部端で該ビークルの電気プラグ用のレセプタクルを支持する電気コンセント部材を有し、
ここで、該伸長ポストは、引き込まれた部分からのスリーブ部材内の垂直移動のための垂直のスリーブ部材に取り付けられ、該引き込まれた部分において、該ポストは、該スリーブ部材内の展開した位置に含まれ、該展開した位置において、該ポストは、該スリーブ部材から上に向かって立ち、前記収容された部品の操作部品をユーザーに提示することを特徴とするハウジング。
【請求項１９】
ビークルの電源コンセントを充電するための電源を提供するように配された複数の電気部品、
該電気部品を取り囲む囲いを含むハウジングであって、
該囲いは、伸長ポストを定義し、
該ポストは、上部端で該ビークルの電気プラグ用のレセプタクルを支持する電気コンセント部材を有し、
ここで、該レセプタクル部材は、該囲いから内側に窪んだ複数の壁を形成し、該レセプタクルは、開口部の上部から下方および内側に傾斜される該壁の１つに取り付けられることを特徴とするハウジング。
【請求項２０】
側端縁での接続のために並行して配された複数の押出パネルを含むハウジングであって、
該パネルは、収容された部品を囲むためのパネルによって定義される囲いを形成するために、該側端縁で縦のジョイントによって接続され、
ここで、複数のブリッジ部材が提供され、その各々は、パネルの間の該ジョイントのそれぞれの１つで該パネルをブリッジ接合し、その結果、該ブリッジ部材は、該ジョイントが広がるのを抑えるために、該ハウジングの内表面の内部の該ジョイントをブリッジ接合し、
およびここで、該ブリッジ部材は、該パネルと支持部材との間の接続を提供するように、該パネルに対して通常直角で伸びる該支持部材に一端で接続されることを特徴とするハウジング。
【請求項２１】
前記ブリッジ部材が、前記パネルの全長に略沿って伸びることを特徴とする、請求項２０に記載のハウジング。
【請求項２２】
前記ブリッジ部材が、前記パネルに沿った場所に摺動することを特徴とする、請求項２０乃至２１のいずれか１項に記載のハウジング。
【請求項２３】
前記ブリッジ部材が、前記パネルの内部に位置付けられる部品のための支持部を形成することを特徴とする、請求項２０乃至２２のいずれか１項に記載のハウジング。
【請求項２４】
前記支持部材がエンドプレートであることを特徴とする、請求項２０乃至２３のいずれか１項に記載のハウジング。
【請求項２５】
前記ブリッジ部材が、前記パネルに対して通常直角で伸びる２つの端部支持部材のそれぞれの１つに各端部で接続され、その結果、該２つの端部支持部材およびブリッジ部材は、該パネル内で支持構造体を形成することを特徴とする、請求項２０乃至２４のいずれか１項に記載のハウジング。
【請求項２６】
側端縁での接続のために並行して配された複数の押出パネルを含むハウジングであって、
該パネルは、収容された部品を囲むためのパネルによって定義される囲いを形成するために、該側端縁で縦のジョイントによって接続され、
ここで、該パネルの少なくとも１つは、通常そこから外側に伸びる複数の冷却フィンを支持し、
またここで、該パネルは、該冷却フィンが冷却ダクトを形成するように配されることを特徴とするハウジング。
【請求項２７】
前記パネルは、前記冷却フィンが冷却ダクトを有する外側ハウジングの内側で冷却ダクトを形成するように配され、該冷却ダクトおよびハウジングが、該パネルのそれぞれの１つによって形成されていることを特徴とする、請求項２６に記載のハウジング。
【請求項２８】
側端縁での接続のために並行して配された複数の押出パネルを含むハウジングであって、
該パネルは、収容された部品のためのパネルによって定義される囲いを形成するために、該側端縁で縦のジョイントによって接続され、
ここで、該パネルのいくつかは、摺動可能な外装パネルの縁部を受けるための外部のスロットを有することを特徴とするハウジング。
【請求項２９】
パネルのいくつかが、内部の凹部を形成するために通常凹面であるように形作られることを特徴とする、請求項２８に記載のハウジング。
【請求項３０】
外表面、内表面および第１側端縁を有する、第１押出部材、
外表面、内表面および第２側端縁を有する、第２押出部材を含むジョイントであって、
該第１側端縁と該第２側端縁は、それぞれ該第１側端縁と該第２側端縁に沿って伸びる第１および第２の共働する接続部材を有し、それによって、該第１側端縁は、縁部の長さに沿って該第２側端縁に締められ、
ここで、該第１接続部材は、内部壁および外部壁によって定義されるスロットを含み、該第２接続部材は、該スロットに挿入されるブレード部材を含み、該ブレード部材は、該外部壁に隣接するその側面に肩部を有し、ここで、該外部壁は、共働する肩部を含む且つ柔軟であり、それによって該肩部が通るのを可能にすることを特徴とするジョイント。
【請求項３１】
前記外部壁は、停留部材を接合するための前記ジョイントで、前記第１および第２の押出部材の外面と平行な表面を有し、そのため、該表面の圧縮が、前記スロットにおいて前記ブレード部材を圧搾するように作用することを特徴とする、請求項３０に記載のジョイント。
【請求項３２】
前記外部壁は、前記スロットのベースでより薄い部分および前記スロットの端部でより広い部分を有し、該より広い部分が、前記肩部を定義することを特徴とする、請求項３０乃至３１のいずれか１項に記載のジョイント。
【請求項３３】
前記スロットが、前記ジョイントでの前記第１および第２の押出部材の外面に対する角度で傾斜されることを特徴とする、請求項３０乃至３２のいずれか１項に記載のジョイント。
【請求項３４】
前記第２接続部材が、前記第１接続部材における前記スロットと平行であり、前記第１接続部材の前記外部壁を受けるように配される、第２スロットを含むことを特徴とする、請求項３０乃至３３のいずれか１項に記載のジョイント。
【請求項３５】
前記押出部材の他の外面上に係合する、外面での前記押出部材の１つの上での重なるリブ部分が提供されることを特徴とする、請求項３０乃至３４のいずれか１項に記載のジョイント。
【請求項３６】
前記重なるリブ部分の挿入が、前記ジョイントで外面と平行であることを特徴とする、請求項３５に記載のジョイント。
【請求項３７】
前記第２接続部材が、前記第１接続部材の前記重なるリブ部分を受ける、前記ブレードの外側側面上の凹部を含むことを特徴とする、請求項３５または３６に記載のジョイント。
【請求項３８】
前記外部壁が屈曲するのを抑えるために、前記外部壁を接触させるための停留部材が提供され、その結果、前記外部壁の圧縮が、前記スロットにおける前記ブレード部材を圧搾するように作用することを特徴とする、請求項３０乃至３７のいずれか１項に記載のジョイント。
【請求項３９】
前記停留部材が、前記ジョイントに広がるブリッジ部材上に支持され、前記第１および第２の押出部材によって担持されることを特徴とする、請求項３８に記載のジョイント。
【請求項４０】
前記停留部材が取り付けねじであることを特徴とする、請求項３８または３９に記載のジョイント。
【請求項４１】
前記ジョイントで前記第１および第２の押出部材をブリッジ接合するためのブリッジ部材が提供され、該第１および第２の押出部材は、各々、該ブリッジ部材の挿入部を受けるためのレセプタクルを含み、それ故、該ブリッジ部材は、該ジョイントが広がるのを抑えるために内表面の内部の該ジョイントをブリッジ接合することを特徴とする、請求項３０乃至４０のいずれか１項に記載のジョイント。
【請求項４２】
前記ブリッジ部材が、前記第１および第２の押出部材の全長に略沿って伸びることを特徴とする、請求項４１に記載のジョイント。
【請求項４３】
前記ブリッジ部材が、前記第１および第２の押出部材に沿った場所に摺動することを特徴とする、請求項４１または４２に記載のジョイント。
【請求項４４】
各レセプタクルがスロットを形成することを特徴とする、請求項４１、４２または４３に記載のジョイント。
【請求項４５】
前記第１および第２の押出部材は、複数のこのような押出部材の２つを含み、その各々が、第１側端縁に沿った第１の共働する接続部材および第２側端縁に沿った第２の共働する接続部材を有することを特徴とする、請求項３０乃至４４のいずれか１項に記載のジョイント。
【請求項４６】
前記第１および第２の共働する接続部材が、スナップ固定を形成することを特徴とする、請求項３０乃至４５のいずれか１項に記載のジョイント。
【請求項４７】
外表面、内表面および第１側端縁を有する、第１押出部材、
外表面、内表面および第２側端縁を有する、第２押出部材を含むジョイントであって、
該第１側端縁および該第２側端縁は、それぞれ該第１側端縁および該第２側端縁に沿って伸びる第１および第２の共働する接続部材を有し、それによって、該第１側端縁は、縁部の長さに沿って該第２側端縁に締められ、
ここで、該第１接続部材は、内部壁および外部壁によって定義されたスロットを含み、該第２接続部材は、該スロットに挿入されたブレード部材を含み、
ここで、該第１接続部材は、該第２接続部材の外面の縁部分上に係合する、外面での重なるリブ部分を含むことを特徴とするジョイント。
【請求項４８】
前記重なるリブ部分の挿入が、前記ジョイントの外面と平行であることを特徴とする、請求項４７に記載のジョイント。
【請求項４９】
前記第２接続部材が、前記第１接続部材の前記重なるリブ部分を受ける、前記ブレードの外側側面上のスロットを含むことを特徴とする、請求項４７または４８に記載のジョイント。
【請求項５０】
外表面、内表面および第１側端縁を有する、第１押出部材、
外表面、内表面および第２側端縁を有する、第２押出部材を含むジョイントであって、
該第１側端縁および該第２側端縁は、それぞれ該第１側端縁および該第２側端縁に沿って伸びる第１および第２の共働する接続部材を有し、それによって、該第１側端縁は、縁部の長さに沿って該第２側端縁に締められ、
ここで、該第１接続部材は、内部壁および外部壁によって定義されたスロットを含み、該第２接続部材は、該スロットに挿入されたブレード部材を含み、
ここで、該スロットへの該ブレードの挿入の方向は、該ジョイントでの外面に対する角度であることを特徴とするジョイント。
【請求項５１】
外表面、内表面および第１側端縁を有する、第１押出部材、
外表面、内表面および第２側端縁を有する、第２押出部材を含むジョイントであって、
該第１側端縁および該第２側端縁は、それぞれ該第１側端縁および該第２側端縁に沿って伸びる第１および第２の共働する接続部材を有し、それによって、該第１側端縁は、縁部の長さに沿って該第２側端縁に締められ、
および該ジョイントはさらに、該ジョイントで該第１および第２の押出部材をブリッジ接合するためのブリッジ部材を含み、
ここで、該第１および第２の押出部材は、各々、該ブリッジ部材の側端縁を受けるためのレセプタクルを含み、それ故、該ブリッジ部材は、該ジョイントが広がるのを抑えるために内表面の内部の該ジョイントをブリッジ接合することを特徴とするジョイント。
【請求項５２】
前記ブリッジ部材が、前記第１および第２の押出部材に沿った場所に摺動することを特徴とする、請求項５１に記載のジョイント。
【請求項５３】
前記ブリッジ部材が、前記第１および第２の押出部材の内部に位置付けられた部品に対する支持部を形成することを特徴とする、請求項５１に記載のジョイント。
【発明の詳細な説明】
【技術分野】
【０００１】
本発明は、突き出たパネルの縁部と縁部とを接続することから形成することができる、且つ押出パネルの縁部と縁部とを接続するための、ビークル（ｖｅｈｉｃｌｅｓ）およびジョイントに動力を供給することに特に使用するために構築することができる、ハウジングに関する。
【背景技術】
【０００２】
Ｇｌｅｎｎ  Ｒｏｓｅｎｄａｈｌの、１９９６年５月２８日に発行された、特許文献１において、例えば駐車場で使用するための複数の電気コンセントに電力を供給するために提供される、マイクロプロセッサー制御システムが開示される。中央の電源は、各々が電力を供給するように配される一連のコンセントと導通する。各コンセントは、コンセントへの電力の供給を制御するように配される、それ自体のマイクロプロセッサー制御の制御ユニットを有する。検出器ユニットは、コンセントへのコネクタープラグの挿入を検出し、負荷によって引き出された瞬間電流を、所定の可変性の最大電流と比較し、その電流が、それが最大値未満である場合にのみ引き出されることを可能にする、コンパレーターを起動させる。最大値を超過する場合、負荷は、遮断され、コネクタープラグが取り除かれた後に再接続されることにのみ許される。サーモスタットは、外部温度に依存する動力の供給を制御するために使用することができる。マイクロプロセッサーは、動力を供給するためのサイクルの一部のみを選択することができ、その結果、中央の電源によって引き出される合計電力が減少する。
【０００３】
２０１０年１月５日に発行された特許文献２において、本発明者は、上記のタイプの配置の追加の特徴を提供し、中央の電源から複数の電気コンセントを通って複数のビークルに電力を供給するためのシステムを開示し、これは、コンセントの各々のためのコンセント制御ユニットおよびビークルの各々のためのビークル制御ユニットを含む。コンセント・マイクロプロセッサーは、コンセントへの動力の供給をビークルへのデータの通信に切り替える。ビークル・マイクロプロセッサーは、マイクロプロセッサー間の相互作用を提供する電源にわたる負荷を、動力の要件および利用性を管理するように切り替えることによって、データを通信する。データは、ビークルの動力装置が、ガソリン動力、ディーゼル動力、ハイブリッド動力、または電池動力であるかどうかのデータを含む。ビークル制御ユニットのマイクロプロセッサーは、ビークルにおける選択された負荷に動力を提供するスイッチを制御するように配され、ビークルのＣａｎｂｕｓ通信システムに接続するように配されるインタフェースを含む。
【０００４】
これらの配置は、電気部品を位置付け、コンセントの支持部を提供するための適切なハウジングを必要とし、これによって、ビークルは電源に付けられ得る。ハウジングは、環境条件に耐性があるべきであり、容易に適所に取り付けることができる適切な構造体を提供するべきである。
【０００５】
２０００年３月７日に発行された、特許文献３（Ｐａｔｔｉ）は、照明器具のためのモジュラーパネルを開示する。モジュラーパネルは、湾曲断面を有するコーナーパネルおよびフラットサイドパネルを含む、異なる形状の伸長した押出パネルを含む。コーナーパネルの側端縁は、隣接するサイドパネルの共働する側端縁を、さねはぎ接続（ｔｏｎｇｕｅ−ｉｎ−ｇｒｏｏｖｅ  ｃｏｎｎｅｃｔｉｏｎ）に適応させるための伸長スロットを定義する１対の間隔を置かれたリップを含む。コーナーパネルは、パネルを通り抜ける光を分散するのと同様に、構造的完全性を提供する、表面に沿った均一に間隔を置かれたフィンを有する。複数のパネルは、閉じた断面を有するハウジングを形成する隣接する中間の隣接パネルによって組み立てられる。
【０００６】
１９８９年８月１５日に発行された、特許文献４（Ａｇａｂｅｋｏｖ）は、底部、２つの側方ウイング、透明な閉口部を受けるのに適した縦に伸長した開口部、および側面ウイング間に囲まれ、伸長した開口部の前に置かれる、ハウジングの内部の底部に取り付けられた電源バーを備えるハウジングを有する伸長した点灯機器を開示し、該電源バーは、少なくとも１つの絶縁支持要素を有し、その上で、次の一連の電気接点対が取り付けられ、これらの対は、各々、管状の電灯などの電流消費要素の端部で接続接点を受けることになる。トップカバーは、下部ブーム上の側端縁でスナップで留められる。
【０００７】
１９９１年７月９日に発行された、特許文献５（Ｃｌａｅｓｓｏｎ）は、その周辺で閉じられたチャネル構造体を生成するために、一緒に接続されることが可能になるように意図されたオープンプロファイル長（ｏｐｅｎ  ｐｒｏｆｉｌｅ  ｌｅｎｇｔｈｓ）の配置を開示する。同一の施工の２つのプロファイル長は、閉じたチャネル構造体を生成するように一緒に接続され、その各々は、所望の外形を備えたそれ自体のフランジを有し、コモンベースから突き出る多くの接続要素は、さねはぎ接続におけるフランジと接続要素との間の相互作用によって接続されるように、互いに向き合うそれらのチャネル形状の空間を有して配される。
【０００８】
１９８２年７月６日に発行された、特許文献６（Ｍａｒｒｅｒｏ）は、角または壁上または天井面のいずれかにフラッシュマウントされる（ｆｌｕｓｈ  ｍｏｕｎｔ）、ハウジングを有する蛍光照明器具を開示し、それには、背面において埋め込みトラックがあり、取付プレートがそこへと摺動する。ハウジングの前面は、直接照明用の半透明シールドまたは間接照明用のハウジングから幾分間隔を置かれた不透明なリフレクター機器のいずれかを許容するように適合される。前面のリフレクターは、センタースナップおよび２つのさねはぎコネクターによってスナップ固定される。
【０００９】
１９８５年１１月５日に発行された、特許文献７（Ｈｏｋｅ）は、一緒に連動される４つの押出し加工された直角のアルミニウム部材によって形成されたハウジングを備える、外部のポスト上部に取り付けられた照明器具を開示し、該ハウジングは、所定位置で電気アセンブリとその部品を並べるための手段を提供する。
【００１０】
１９７１年８月３日に発行された、特許文献８（Ｂａｙａｍｏｎ）は、互いに相互適合する（ｉｎｔｅｒｆｉｔｔｉｎｇ）フランジによって一緒に接続され、ウェブとそのフランジとの間のポストの端部へと圧入されたプラグウェッジ（ｐｌｕｇ  ｗｅｄｇｅ）によって連結され、内部に隠される、チャネル形状のポスト部分を開示する。１つのチャネル形状のポストのフランジともう１つのチャネル形状のポストのフランジとの間のさねはぎ接合の連動が互いに共同作用することで、２つのポストが単一の略直角のポストを形成するような方法で、プラグウェッジは、ポストのウェブおよびフランジと共同作用するように設計される。
【先行技術文献】
【特許文献】
【００１１】
【特許文献１】米国特許第５，５２１，８３８号
【特許文献２】米国特許第７，６４２，６７０号
【特許文献３】米国特許第６，０３２，４３２号
【特許文献４】米国特許第４，８５８，０８８号
【特許文献５】米国特許第５，０３１，０８３号
【特許文献６】米国特許第４，３３８，６５３号
【特許文献７】米国特許第４，５５１，７９２号
【特許文献８】米国特許第３，５９６，４２７号
【発明の概要】
【００１２】
本発明は、接続された押出パネルから形成されたハウジングを提供することを１つの目的とする。
【００１３】
本発明の１つの態様によると、ハウジングが提供され、該ハウジングは、
側端縁での接続のために並行して配された複数の押出パネルを含み、
該パネルの各々は、第１側端縁に沿った雄型接続部材および第２側端縁に沿った雌型接続部材を有し、
該雄型接続部材は、ジョイントをその間に形成するために端部に対して直角の方向での挿入によって雌型接続部材へとスナップ固定され、
該パネルは、電気部品を囲むためのパネルによって定義される囲いを形成するように共働する。
【００１４】
本明細書に記載されるハウジングは、電気部品を収容するために主として設計され、ここで、電気部品がポストまたは他の地盤支持上でのように外部に取り付けられる場合に特に、環境からの保護が必要とされる。この配置は、電気部品がビークルなどの負荷に電流を供給するための制御された電気コンセントを提供する場合に、特に適切である。しかしながら、機器は、自動車産業だけでなく、レクリエーション用の車両（ＲＶ）、および水道、電話、ケーブルおよびインターネット、およびひょっとすると天然ガスのためのフックアップを含むと知られる海洋産業（Ｍａｒｉｎｅ  ｉｎｄｕｓｔｒｉｅｓ）にも使用することができる。したがって、ハウジングは、これらの有用性のいずれか１つ以上を提供するための部品を含み得る。
【００１５】
好ましくは、ハウジングは、異なる断面のパネルを含む。ハウジングが、連結縁が異なる位置のための、および異なる部品を含むための異なる形状のハウジングを形成するために、縁部と縁部との接続のために選択され得る異なるタイプのペインを含むシステムの一部を形成する場合に、これは特に有用である。したがって、システムは、異なる構造体を形成するためにパネルと共働するさらなる部品と一緒に、パネル自体を含み得る。
【００１６】
したがって、パネルのいくつかは、断面が一般に真っすぐであり得、また断面が一般に湾曲であり得る。いくつかは、平らな外面位置を含み得る。いくつかは、冷却フィンを含み得る。いくつかは、外部および内部の角を含み得る。これらは、必要に応じて、ハウジングの異なる配置を施すために選択することができ、組み合わせることができる。
【００１７】
好ましくは、この選択と接続を可能にするために、パネルの各々の雄型接続部材は同一の断面を有し、パネルの各々の雌型接続部材も同一の断面を有する。
【００１８】
好ましくは、パネルは、軟鋼（ｍｉｄ  ｓｔｅｅｌ）、ステンレススチール、またはアルミニウムなどの、適切なレベルの強度、および環境への耐性を提供する、押出金属から形成される。しかしながら、他のプラスチック材料を使用することができる。
【００１９】
好ましくは、ハウジングは、パネルの上縁部を係合するための上端部キャップ、およびパネルの底縁部を係合するための底端部キャップを含み、ここで、上端部および底端部のキャップは、一緒に接続する区画に分けられ、各区画がパネルのそれぞれの１つの縁部を受けるように配される。この配置において、上端部キャップの区画は、ラップジョイントを作り出すために一緒に摺動することができる。好ましくは、上端部および底端部のキャップは同一である。端部キャップは、受入れ壁の外側縁部のまわりの最も外側の従属性の（ｄｅｐｅｎｄｉｎｇ）垂直面壁およびパネルの内側縁部を係合し位置付けるための直立した内部に位置する壁を備えた水平な受入れ壁を含むことができる。
【００２０】
したがって、関係する押出パネルの各々の設計に対して１つの端部キャップ設計が存在し得る。
【００２１】
端部キャップは、上部に位置付けられるように、またはベースを底部に提供するようにかのいずれかで設計され、耐水バリアを押出しの囲いに提供する。
【００２２】
設計のこの動的柔軟性は、端部キャップが、一致する押出しが設定され得るあらゆる形状および大きさに相互連結することが可能となる、相互連結する雄雌側面から成るような押出し自体と同じ方法で達成される。ベースおよび上部キャップは、押出しの囲いの考えの動的性質に合わせられた、押出しの囲いの任意の設計と一致するように容易に生成することができる。したがって、必要なハウジング形状は、縁部と縁部とで組み立てられる、必要な形状の必要なパネル要素を選択することによって得ることができ、縁部と縁部とで相互連結もするこれらのパネル形状のための関係する端部キャップと一緒にハウジングを形成する。
【００２３】
設計は、以下のような特徴を含む：
端部キャップは、雄雌側面を含むことで、一致するパネル押出しと同じ位置で相互連結することが可能となる。
端部キャップは、水がジョイントを通り抜け、囲いに入ることを防ぐラップジョイントを作り出すために一緒に摺動することによって係合する。
端部キャップは、押出しの内側に合う上部、およびラップ水封（ｌａｐ  ｗａｔｅｒ  ｓｅａｌ）を提供する押出し上および押出しの外側に合う底部で設計される。
端部キャップは、端部キャップの下端部で、用途によって２つの機能を提供する設計へと含まれる小さな尾根があるように配される。囲いの上部を塞ぐとき、尾根は、水が囲い上および囲いの側面に流れることを防ぐ水切り棚として機能するが、代わりに、水が水玉状になり、縁部で地面に落ちる引き金となる。尾根は、囲いに対するベースとして使用されると、囲いの底部に沿った締まりばめを保証する取付表面への密封として機能する。尾根は、底部表面に沿った最も弱い点であり、それによって、より好適な密封を生み出す平坦でない取付表面に従うことができる。
【００２４】
好ましくは、複数のブリッジ部材が提供され、その各々は、パネルの間のジョイントのそれぞれ１つでパネルをブリッジ接合し（ｂｒｉｄｇｉｎｇ）、該パネルは、各々、ブリッジ部材の挿入部を受けるためのレセプタクルを含み、その結果、ブリッジ部材は、ジョイントが広がるのを抑えるために、ハウジングの内表面の内部のジョイントをブリッジ接合する。
【００２５】
好ましくは、ブリッジ部材は、パネルの全長に略沿って伸びる。しかしながら、それは、より短くなり得、典型的に端部でのみ使用され得る。
【００２６】
好ましくは、ブリッジ部材は、ジップロックの形状でパネルに沿った場所に摺動する。
【００２７】
好ましくは、ブリッジ部材は、パネル内に位置した部品のための支持部を形成する。
【００２８】
好ましくは、ブリッジ部材は、パネルとプレートとの間の接続を提供するように、ベースプレートまたはパネルに対して通常直角で伸びるエンドプレートなどの、支持部材に一端で接続される。２つのエンドプレートおよびブリッジ部材がパネルの内部の支持構造体を形成するように、２つのエンドプレートも提供され得る。
【００２９】
好ましくは、ブリッジ部材は、ブリッジ部材の縦に伸びるチャネルへ係合する支持部材を通るねじによってエンドプレートに締められる。
【００３０】
高温環境における電気部品の冷却が望まれる場合、パネルの少なくとも１つは、必要な建築によって、そこから、内側に面する側面、または外側に面する側面のいずれかに通常外側に伸びる複数の冷却フィンを支持することができる。
【００３１】
好ましくは、パネルは、冷却フィンがハウジングに沿って伸びる冷却ダクトの一部を形成するように、縁部と縁部とに接続され配される。
【００３２】
例えば、パネルの２つ以上は、外側ハウジング内に位置する冷却ダクトを形成し得、ハウジングは、それぞれのパネルによって形成される。
【００３３】
１つの例において、パネルは、直立した伸長ポストを形成するために接続される。伸長ポストは、引き込まれた部分からのスリーブ部材内の垂直移動のための垂直のスリーブ部材に取り付けられ得、その引き込まれた部分において、ポストは、スリーブ部材内の展開した位置に含まれ、その展開した位置において、ポストは、スリーブ部材から上に向かって立ち、収容された部品の操作部品をユーザーに提示する。ポストが、地面へ引っ込むか、または幾つかの場合において、損傷に耐性のあるコンクリートの構造部材として地上に取り付けられ得るように、スリーブ部材は地面に位置付けられ得、その結果、ポストは、防護用のスリーブ部材へと引っ込む。
【００３４】
それ故、１つの配置において、使用のために上昇する（ｅｌｅｖａｔｅ）ことができるポストの形態で地下に取り付けられた囲いが提供される。本明細書に記載される動的な押出しの囲いの設計を使用して、地下貯蔵コンテナの保護内で、使用されていないときには保管される、屋外使用のための電気ポストを製造する。この設計は、地面の整備の容易性ための妨げられていない平らな地面、破壊行為の回避、および必要とされるまで目にさらされないもの（ｖｉｓｕａｌ  ｕｎｓｅｅｎ  ｕｎｔｉｌ  ｎｅｅｄｅｄ）を含む多くの利点を提案する。
【００３５】
この設計は、以下のような特徴を含む：
それは、除雪などの整備の容易性のためのきれいな地面を維持する。
電気ポストは、地下貯蔵コンテナで使用されていないとき、保管され保護される。
ポストは、動力機構によって使用するために上昇する。
【００３６】
１つの例において、パネルは、ポストの上にレセプタクルを形成するために接続される。この場合において、ポストはまた、パネルから形成され得るか、または従来の構造体のポストであり得る。
【００３７】
別の例において、パネルのいくつかは、摺動可能な外装パネルの縁部を受けるための外部のスロットを有し得る。この場合において、パネルのいくつかは、内部の凹部を形成するために一般に凹面であるように形成され得る。
【００３８】
別の例において、パネルの少なくとも１つは、電気プラグ用の電気コンセントを受けるための開口部を有する。この配置において、好ましくは、レセプタクル部材は、パネルから内側に窪んだ複数の壁を形成し、レセプタクルは、開口部の上部から下方および内側に傾斜される壁の１つに取り付けられる。
【００３９】
本発明のさらなる態様によると、ハウジングが提供され、該ハウジングは、
ビークルの電源コンセントを充電するための電源を提供するように配された複数の電気部品、
該電気部品を取り囲む囲いを含み、
該囲いは、伸長ポストを定義し、
該ポストは、上部端に該ビークルの電気プラグ用のレセプタクルを支持する電気コンセント部材を有し、
ここで、該伸長ポストは、引き込まれた部分からのスリーブ部材内の垂直移動のための垂直のスリーブ部材に取り付けられ、その引き込まれた部分において、該ポストは、スリーブ部材内の展開した位置に含まれ、その展開した位置において、該ポストは、スリーブ部材から上に向かって立ち、収容された部品の操作部品をユーザーに提示する。
【００４０】
本発明のさらなる態様によると、ハウジングが提供され、該ハウジングは、
ビークルの電源コンセントを充電するための電源を提供するように配された複数の電気部品、
該電気部品を取り囲む囲いを含み、
該囲いは、伸長ポストを定義し、
該ポストは、上部端でビークルの電気プラグ用のレセプタクルを支持する電気コンセント部材を有し、
ここで、該レセプタクル部材は、パネルから内側に窪んだ複数の壁を形成し、該レセプタクルは、開口部の上部から下方および内側に傾斜される壁の１つに取り付けられる。
【００４１】
傾斜壁は、ほぼ４５度の角度で位置付けすることができるが、当然のことながら、他の同様の角度は、同じ利点を提供することができる。４５度の下方の面（ｄｏｗｎ  ｆａｃｉｎｇ）において電気コンセントを取り付けることは、主として、時間をかけて損傷となる、追加のカバーを使用しない直接の天候から電気コンセントを保護するために、屋外および風雨での使用に関する多くの利点を達成することが目的である。
【００４２】
設計は、以下のような特徴を含む：
レセプタクル部材は、押出しの囲いの内部から開口部の縁部のまわりの耐水ラップ封とともに設置される。
レセプタクル部材は、外部の又は可視の締結装置なしで設置される。
レセプタクル部材は、コンセントを、４５度の角度に位置付け、上に且つ内部で上昇させることによって、可動式カバーフラップ（ｃｏｖｅｒ  ｆｌａｐ）などを必要とせずに、雨および雪から保護する。
レセプタクル部材は、囲い内に取り付けられることによって３つの側面への天候からの保護を提供する。
レセプタクル部材は、下方位置において付属の電気コードのための自然流量を提供し、これは重力にやさしい。
レセプタクル部材は、地下での取り付けを可能にし、使用する囲い操作のために上昇させる、囲いの滑らかで妨げられていない外表面を確実なものにするように設置される。
【００４３】
本発明のさらなる態様によると、電気部品のためのハウジングが提供され、該ハウジングは、
側端縁での接続のために並行して配された複数の押出パネルを含み、
該パネルは、電気部品を囲むためのパネルによって定義される囲いを形成するために、側端縁で縦のジョイントによって接続され、
ここで、複数のブリッジ部材が提供され、その各々は、パネルの間のジョイントのそれぞれの１つでパネルをブリッジ接合し、その結果、該ブリッジ部材は、ジョイントが広がるのを抑えるために、ハウジングの内表面の内部のジョイントをブリッジ接合し、
またここで、該ブリッジ部材は、パネルと支持部材との間の接続を提供するように、パネルに対して通常直角で伸びる支持部材に一端で接続される。
【００４４】
本発明のさらなる態様によると、電気部品のためのハウジングが提供され、該ハウジングは、
側端縁での接続のために並行して配された複数の押出パネルを含み、
該パネルは、電気部品を囲むためのパネルによって定義される囲いを形成するために、側端縁で縦のジョイントによって接続され、
ここで、該パネルの少なくとも１つは、一般にそこから外側に伸びる複数の冷却フィンを支持し、
またここで、該パネルは、冷却フィンが冷却ダクトを形成するように配される。
【００４５】
本発明のさらなる態様によると、電気部品のためのハウジングが提供され、該ハウジングは、
側端縁での接続のために並行して配された複数の押出パネルを含み、
該パネルは、電気部品を囲むためのパネルによって定義される囲いを形成するために、側端縁で縦のジョイントによって接続され、
ここで、該パネルのいくつかは、摺動可能な外装パネルの縁部を受けるための外部のスロットを有する。
【００４６】
本発明のさらなる態様によると、ジョイントが提供され、該ジョイントは、
外表面、内表面および第１側端縁を有する、第１押出部材、
外表面、内表面および第２側端縁を有する、第２押出部材を含み、
該第１側端縁および該第２側端縁は、それぞれ該第１側端縁および該第２側端縁に沿って伸びる第１および第２の共働する接続部材を有し、それによって、第１側端縁は、縁部の長さに沿って第２側端縁に締められ、
ここで、該第１接続部材は、内部壁および外部壁によって定義されるスロットを含み、該第２接続部材は、スロットに挿入されるブレード部材を含み、該ブレード部材は、外部壁に隣接するその側面に肩部を有し、ここで、該外部壁は、共働する肩部を含む且つ柔軟であり、それによって該肩部が通るのを可能にする。
【００４７】
このように、スロットへのブレードの係合は、縦方向での摺動作用よりもむしろ、横方向でのスナップ作用によるものであり得る。しかし、ジョイントで屈曲するスナップ作用を提供することは不可欠ではない。
【００４８】
好ましくは、外部壁は、停留部材を接合するためのジョイントで、第１および第２の押出部材の外面と平行な表面を有し、そのため、該表面の圧縮は、スロットにおいてブレード部材を圧搾するように作用する。これは、スロットにおいてブレードを保持し、スナップ作用がジョイントを不注意に開かせることを防ぐように作用する。
【００４９】
好ましくは、外部壁は、スロットのベースでより薄い部分およびスロットの端部でより広い部分を有し、該より広い部分は、肩部を定義する。該より薄い部分は、屈曲を可能にする。このように、押出しは、アルミニウムまたは同様の比較的堅い物質から形成され得る一方で、依然としてスナップ作用を可能にする。
【００５０】
好ましくは、スロットは、ジョイントでの第１および第２の押出部材の外面に対する角度に傾斜される。外面に対する角度でのブレードのこの挿入は、外面を含む平面に外面をより効果的に引き合わせるために使用され得、なぜなら、これは、挿入角度と同じ角度ではなく、それ故、挿入が製造において好適に許容度を受け入れることが可能となる。
【００５１】
好ましくは、外面での凹部において押出部材の他の外面上に係合する、外面での押出部材の１つの上での重なるリブ部分が提供される。これによって、単なる突合せジョイントよりも外面でより好適な封が提供され、その結果、ブレードとスロットとの間の接続が適所でリブを保持する。
【００５２】
好ましくは、第２接続部材は、第１接続部材におけるスロットと平行であり、第１接続部材の外部壁を受けるように配される、第２スロットを含む。
【００５３】
好ましくは、外部の凹部への重なるリブ部分の挿入は、ジョイントでの外面の平面と平行であるか、またはその平面内にある。
【００５４】
好ましくは、第２接続部材は、第１接続部材の重なるリブ部分を受ける、ブレードの外側側面上のスロットを含む。
【００５５】
好ましくは、外部壁が屈曲するのを抑えるために、外部壁を接触させるための停留部材が提供され、その結果、外部壁の圧縮は、スロットにおけるブレード部材を圧搾するように作用する。
【００５６】
好ましくは、停留部材は、ジョイントに広がるブリッジ部材上に支持され、第１および第２の押出部材によって担持される。しかしながら、それは、ジョイントの内部の他の部品上で担持され得る。
【００５７】
好ましくは、停留部材は、取り付けねじであり、それ故、スロットの内部壁を係合する位置へと調節され得るが、他の部品もまた使用され得る。
【００５８】
好ましくは、ジョイントで第１および第２の押出部材をブリッジ接合するためのブリッジ部材が提供され、該第１および第２の押出部材は、各々、ブリッジ部材の挿入部を受けるためのレセプタクルを含み、その故、ブリッジ部材は、ジョイントが広がるのを抑えるために内表面の内部のジョイントをブリッジ接合する。
【００５９】
好ましくは、ブリッジ部材は、第１および第２の押出部材の全長に略沿って伸び、全長に沿った保持力を提供する。しかしながら、ブリッジ部材は、例えば別々の短片で、およびジョイントの端部においてのみ形成され得る。
【００６０】
好ましくは、ブリッジ部材は、第１および第２の押出部材に沿った場所に摺動し、その結果、ジップロック配置を模擬するように作用する。しかしながら、それは、スナップ作用が、好ましくは、ジョイント自体のスナップ作用に対して実質的に直角である場所へとはまる。
【００６１】
好ましくは、レセプタクルは、それぞれ、部分円筒状であり得るスロットを形成する。
このような部分円筒状であり得るスロットは、ベースまたは上面壁などの他の部品を締めるためのスロットの一端へと縦に挿入されたねじを受けるために使用され得る。
【００６２】
ブリッジ部材は、単純に、ジョイントの開口部に対する耐性を増加させるためのジョイントに対するさらなる支持であり得るが、好ましくは、ブリッジ部材は、第１および第２の押出部材の内部に位置付けられた部品に対する支持部を形成する。
【００６３】
好ましくは、第１および第２の押出部材は、複数のこのような押出部材の２つを含み、その各々は、雄雌留め具の形態である、第１側端縁に沿った第１の共働する接続部材および第２側端縁に沿った第２の共働する接続部材を各々有する。
【００６４】
本発明のさらなる態様によると、ジョイントが提供され、該ジョイントは、
外表面、内表面および第１側端縁を有する、第１押出部材、
外表面、内表面および第２側端縁を有する、第２押出部材を含み、
該第１側端縁および該第２側端縁は、それぞれ該第１側端縁および該第２側端縁に沿って伸びる第１および第２の共働する接続部材を有し、それによって、第１側端縁は、縁部の長さに沿って第２側端縁に締められ、
ここで、該第１接続部材は、内部壁および外部壁によって定義されたスロットを含み、該第２接続部材は、スロットに挿入されたブレード部材を含み、
ここで、第１接続部材は、第２接続部材の外面の縁部分上に係合する外面で重なるリブ部分を含む。
【００６５】
本発明のさらなる態様によると、ジョイントが提供され、該ジョイントは、
外表面、内表面および第１側端縁を有する、第１押出部材、
外表面、内表面および第２側端縁を有する、第２押出部材を含み、
該第１側端縁および該第２側端縁は、それぞれ該第１側端縁および該第２側端縁に沿って伸びる第１および第２の共働する接続部材を有し、それによって、第１側端縁は、縁部の長さに沿って第２側端縁に締められ、
ここで、該第１接続部材は、内部壁および外部壁によって定義されたスロットを含み、該第２接続部材は、スロットに挿入されたブレード部材を含み、
ここで、スロットへのブレードの挿入の方向は、ジョイントでの外面に対する角度である。
【００６６】
本発明のさらなる態様によると、ジョイントが提供され、該ジョイントは、
外表面、内表面および第１側端縁を有する、第１押出部材、
外表面、内表面および第２側端縁を有する、第２押出部材を含み、
該第１側端縁および該第２側端縁は、それぞれ該第１側端縁および該第２側端縁に沿って伸びる第１および第２の共働する接続部材を有し、それによって、第１側端縁は、縁部の長さに沿って第２側端縁に締められ、
およびジョイントはさらに、ジョイントで第１および第２の押出部材をブリッジ接合するためのブリッジ部材を含み、
ここで、第１および第２の押出部材は、各々、ブリッジ部材の側端縁を受けるためのレセプタクルを含み、それ故、ブリッジ部材は、ジョイントが広がるのを抑えるために内表面の内部のジョイントをブリッジ接合する。
【００６７】
上に記載されたジョイントは、多くの異なる配置および押出部材の用途において使用され得る一方で、外部の環境から保護される必要のある電気部品を含むためにハウジングを形成することに特に価値がある。
【００６８】
本発明の１つの実施形態は、ここで、以下の添付の図面に関連して記載される。
【図面の簡単な説明】
【００６９】
【図１】図１は、本発明によるハウジングを形成するための２つの押出部材間のジョイントの等角図である。
【図２】図２は、図１のジョイントの平面図である。
【図３】図３は、拡大された図１のジョイントの一部分のみの平面図である。
【図４】図４は、異なる押出パネルによって形成され得る異なるハウジング形状の平面図である。
【図５】図５は、異なる押出パネルによって形成され得る異なるハウジング形状の平面図である。
【図６】図６は、異なる押出パネルによって形成され得る異なるハウジング形状の平面図である。
【図７】図７は、異なる押出パネルによって形成され得る異なるハウジング形状の平面図である。
【図８】図８は、異なる押出パネルによって形成され得る異なるハウジング形状の平面図である。
【図９】図９は、異なる押出パネルによって形成され得る異なるハウジング形状の平面図である。
【図１０】図１０は、異なる押出パネルによって形成され得る異なるハウジング形状の平面図である。
【図１１】図１１は、異なる押出パネルによって形成され得る異なるハウジング形状の平面図である。
【図１２】図１２は、異なる押出パネルによって形成され得る異なるハウジング形状の平面図である。
【図１３】図１３は、図１２のハウジングの底面且つ前面からの等角図である。
【図１４】図１４は、ポストの上のポスト区画および上部ハウジングを定義するために以前の図の部品を使用する本発明による、ハウジングの一実施形態の分解図である。
【図１５】図１５は、ポストの上のポスト区画および上部ハウジングを定義するために以前の図の部品を使用する本発明による、ハウジングの第２実施形態の分解図である。
【図１６】図１６は、中央の冷却ダクトを備えるハウジングを定義するために以前の図の部品を使用する本発明による、ハウジングの第３実施形態の分解図である。
【図１７】図１７は、図１４および１５のポストの内部構造体の分解図である。
【図１８】図１８は、ポストを形成するのに使用するための代替構造体の分解図である。
【図１９】図１９は、本発明のパネルを使用して形成され、パネルの上面および底面で特別に設計された端部キャップ部材を含む、直角のハウジングの２分の１の等角図である。
【図２０】図２０は、摺動する接続を示す図１９の端部キャップ部材の２つの区画の等角図であり、その間でラップジョイントが形成される。
【図２１】図２１は、ビークルからプラグを受けるためのレセプタクル部材を示す、図１９のハウジングの２分の１の分解した等角図である。
【図２２】図２２は、図１９のハウジングの全体の等角図である。
【図２３】図２３は、図１９のハウジングの全体の分解した等角図である。
【図２４】図２４は、引き込まれた位置と展開された位置との間の垂直移動のためのスリーブ部材に設置された図１９のハウジングの等角図である。
【００７０】
図面において、類似する参照符号は、異なる図において対応する部分を示す。
【発明を実施するための形態】
【００７１】
図４乃至１８に示されるハウジングの実施形態は、より詳細に以下に記載される。ハウジングのこれらの配置は、図１乃至３に示される本発明によるジョイントを使用する。これは、外表面１０Ａ、内表面１０Ｂおよび第１側端縁１０Ｃを有する第１押出部材１０と、外表面１１Ａ、内表面１１Ｂおよび第２側端縁１１Ｃを有する第２押出部材１１との間で形成される。第１側端縁１０Ｃおよび第２側端縁１１Ｃは、部材の側端縁を一緒に接続するための共働する接続を提供するように配され、接続構造体を形成する。
【００７２】
押出部材は、任意の構造体になり得、典型的に、次の押出部材への接続のための部材１０上の第２側端縁１０Ｄ、および部材１１の上の第１側端縁１１Ｄを含み、それ故、各々は、それぞれの側端縁で雄雌側面コネクターを含む。このように、部材は、完全なハウジング、または必要に応じて、雄雌接続を有する接続部材の他の構造体を形成するために使用され得る。
【００７３】
部材１０および１１は、部分円筒状であるように、湾曲した実施形態にあるが、以下に記載されるように他の形状が使用され得る。部材１０および１１は、魅力的な外観を形成するために波形をつけられた、外面１０Ａ、１１Ａを有するが、これはもちろん必須条件ではない。
【００７４】
部材１０および１１は、その長さに沿って一定の断面を有するように押出し加工される。それらが形成される物質は、必要条件によって変わり得るが、典型的に、ハウジング、ポストなどの構造部材を形成するための十分な強度および剛性があり、このような場合、アルミニウム、軟質の被覆鋼またはステンレススチールなどの金属の使用が好まれる。以下に記載されるように、壁の厚さおよび寸法、また、それらの機能に適応させるためのスナップ固定部品は、従来の知識を使用して当業者によって選択され得る。
【００７５】
したがって、第１縁部１０Ｃは、第１の共働する接続部材２０を有し、それ故、第２縁部１１Ｃは第２の共働する接続部材３０を有し、その各々は、それぞれ第１および第２の縁部に沿って伸びる。部材２０および３０は、共働する雄雌接続を形成し、それによって、第１縁部１０Ｃは、縁部の長さに沿って、第２縁部１１Ｃに固定される。
【００７６】
図３の拡大図で最良に示されるように、第１接続部材２０は、内部壁２０２および外部壁２０３によって定義されたスロット２０１を含む。第２接続部材３０は、スナップ固定作用の際にスロット２０１へと挿入されるブレード部材３０１を含む。
【００７７】
ブレード部材３０１は、比較的堅く、屈曲するようには意図されていない。ブレード部材３０１は、外部壁２０３に隣接するその側面の肩部３０２につながる傾斜路面３０３を有する。外部壁２０３は、共働する肩部２０４を含み、そのため、設置されるとき、肩部は、方向Ｄの反対の運動に対するスロットに挿入されたブレードを保持するように、スロットへのブレードの挿入の方向Ｄに対して通常直角の角度で係合して位置する。挿入を可能にするために、壁２０３は、柔軟であり、肩部３０２および２０４が、壁２０３の入口面２０５にわたって摺動する傾斜路面３０３によって内側に押された時にブレードから離れて屈曲する壁２０３のそばを通るのを可能にする。
【００７８】
外部壁２０３の屈曲を可能にするために、外部壁２０３は、スロット２０１の基端部２０７でより薄い部分２０６および表面２０５でのスロット２０１の外端でより広い部分２０８を有し、より広い部分は肩部２０４を定義する。
【００７９】
スロット２０１およびブレード３０１は、ジョイントでの第１および第２の押出部材の外面で平面Ｐに対する角度Ａで傾斜される。角度Ａは、およそ３０度であるが、より大きくなり得る且つ４５度もの大きさになり得る。
【００８０】
第２接続部材３０は、第１接続部材におけるスロット２０１と平行で、第１接続部材の外部壁２０２を受けるように配される、第２スロット３０４を含む。スロット３０４がスロット２０１と平行であるため、これらのスロットは、平面Ｐに対する角度Ａでの挿入の方向Ｄを定義する。
【００８１】
第１接続部材２０は、押出部材の第２の外面１１Ａ上に係合する外面１０Ａで重なるリブ部分２０９を含む。このリブ部分を受け、表面１０Ａと１１Ａとの間の接合点で水平かまたは近接する外面を依然として提供するために、表面１１Ａは、リブと一致する凹部３０５を含む。凹部３０５およびリブ２０９の両方は、平面Ｐと平行である側面２１０を含み、そのため、凹部３０５への重なるリブ部分２０９の挿入は、ジョイントで平面Ｐおよび外面と平行である。
【００８２】
単に真っすぐなさねはぎ（ｔｏｎｇｕｅ  ａｎｄ  ｇｒｏｏｖｅ）である状態に対する傾斜角Ａの用途は、以下の通りである：
ａ）ジョイントができず、ジョイントをバラバラにするために、押出部材が、ただ互いに離れていくのではなく、二方向に互いに離れていくが、一方が下方に動くと他方は上方に動くことも必要となる。
ｂ）同様に、傾斜角をもたせるという思想によって、ジョイントの表面積が増加し、それによってより強いジョイントをもたらす。
ｃ）接続ジョイントの増加した表面積は、ジョイントを損なうために水が移動しなければならないであろう、起こり得る流量の、増加した距離、および対向する角度が原因でジョイントの水耐性を増加させる。
ｄ）また、ジョイントのアセンブリにおいて、堅いジョイントの視認は、もしジョイントが適切に接続されないと、１つの押出しが他方より高く配置されるために、より容易となる。
【００８３】
接続部材２０および３０を接続するスナップ作用が、壁２０３のより薄い部分２０６の屈曲に基づくために、これは、ブリッジ部材４０の停留部材４０１を提供することによってロックされ得る。停留部材４０１は、外部壁が屈曲するのを抑えるために、外部壁２０３を接触させるための頭部４０２および前面４０３を有する取り付けねじであり、そのため、外部壁２０３の圧縮は、スロット２０１においてブレード部材３０１を圧搾し、ブレードが肩部２０４および３０２の係合によりスロットから引き出されるのを防ぐように作用する。この目的のために、より広い部分２０８での外部壁２０３は、平面Ｐおよびそれ故外部壁と平行である表面２１１を含み、そのため、ねじ４０１の前面４０３に対して水平に接合する。
【００８４】
ブリッジ部材４０は、ジョイントに広がり、そのそれぞれの端部で第１および第２の押出部材によって担持される。したがって、第１および第２の押出部材１０、１１は、各々、ブリッジ部材の挿入部４０４、４０５を受けるためのレセプタクル１０Ｅ、１１Ｅを含み、そのため、ブリッジ部材は、ジョイントが広がるのを抑えるために内表面の内部のジョイントをブリッジ接合する。各レセプタクル１０Ｅ、１１Ｅは、部分円筒状の内部壁１０Ｆおよび壁より狭い開口部１０Ｇとともに部分円筒状のスロットを形成する。挿入部は、首部４０７および圧縮可能なビード４０８を含み、これは、ビードの圧縮によってレセプタクルへつめられ得、その結果、ビードの外表面は、円筒状の表面１０Ｆと一致する。ブリッジ部材は、第１および第２の押出部材の全長に略沿って伸びることができ、第１および第２の押出部材に沿った場所に摺動することができる。首部４０７は、表面または平面Ｐに対して通常直角で伸び、その結果、ジョイントが分かれるのを可能にする傾向のある張力が、首部に対して直角で、ブリッジ部材自体を介して伝達され、その結果、ブリッジ部材は、ジョイントが離れる運動に抵抗し、それ故、ロックとして作用する。ブリッジ部材は、壁２０３でジョイントの内部表面に近いジョイントに沿って伸び、それ故、構造体の内部の領域を大きくは妨害せずにジョイントの支持部を提供する。ブリッジ部材は、構造体内に部品を付けるための、口部４１０および部分円筒状のレセプタクル４１１を有する縦スロット４０９を含む。
【００８５】
レセプタクル１０Ｅ、１１Ｅおよび４０９の各々は、スロットの一端に縦に挿入された部分円筒壁の端部へと係合されるねじ留め具を受けることができるタイプである。
【００８６】
ブリッジ部材４０はまた、図１に示されるように、部材４０上に支持された取り付けピン４１６を使用して、または例えばレセプタクル４０９を使用する他の取り付け要素によって、パネル内に位置付けられる部品のための支持部４１５を形成するためにも使用され得る。
【００８７】
ここで、上に記載され更なる図に示される、パネルおよびジョイント構造を使用して形成された電気部品のためのハウジングの構造体を参照すると、図１４において特に、電気部品のためのハウジングを取り付けるための構造体が示される（図示せず）。該構造体は、フーチング部５０によって定義されたコンクリート基盤５２および円筒状の直立した部分５１を含む。これらは、典型的に、ハウジング構造体のための構造的基礎として地面内に又は地面上に取り付けられ、取り付けられるハウジングの数および取り付けられる地形に依存する任意の形状または配置であり得る。
【００８８】
ハウジング構造体は、部分５１に付けられたポスト６０および上部レセプタクル区画７０を含む。電気部品は、部品の構造体および大きさに依存して、ポストおよびレセプタクルの１つまたは両方に取り付けられ得る。典型的に、電源および随意に通信ケーブルは、基盤５２を通って電気部品を提供するためのポストに入る。
【００８９】
ポスト６０は、縁部１０Ｃおよび１１Ｃでジョイントによって接続される、複数の押出パネル１０および１１を含む。ブリッジ部材４０はジョイントに広がる。すべてのこれらの部品は、上に記載された構造体であり、ここで記載を繰り返す必要はない。したがって、パネルの各々は、以前に記載されるような雄部材を雌部材と接続するための、第１側端縁に沿った雄型接続部材３０および第２側端縁に沿った雌型接続部材２０を有する。したがって、雄型接続部材は、ジョイントをその間に形成するために端部に対して直角でスロット２０１へとブレード３０１の方向に挿入されることによって雌型接続部材へのスナップ固定を提供する。したがって、パネル１０および１１は、電気部品を囲むためのパネルによって定義されるポストを形成する円筒状の囲いを形成するように共働する。
【００９０】
各ジョイントでは、複数のブリッジ部材４０のそれぞれの１つが提供され、その各々は、パネル間のジョイントのそれぞれの１つでパネルをブリッジ接合する。パネルの各々は、ブリッジ部材４０の挿入部４０４、４０５を受けるためのレセプタクル１０Ｅ、１１Ｅを含み、そのため、ブリッジ部材は、ジョイントが広がるのを抑えるために、ハウジングの内表面の内部のジョイントをブリッジ接合する。ブリッジ部材４０は、パネル１０、１１の全長に沿って伸び、パネルに沿った場所に摺動する。
【００９１】
ポスト６０は、図１７に最良に示されるように、パネルに対して直角で底部エンドプレート６０１および上部エンドプレート６０２をさらに含む。各ブリッジ部材は、パネルと支持部材またはプレート６０１、６０２との間の接続を提供するように、支持部材またはプレート６０１に一端で、およびパネルに対して通常直角で伸びるプレート６０２に他端で接続される。したがって、プレートおよびブリッジ部材は、パネル１０、１１を適所に保持するための構造部材を形成する。
【００９２】
各プレート６０１、６０２は、ブリッジ部材を受ける面上にへこみを付けられ、その中のレセプタクル４０９でブリッジ部材４０の内面と一致するように形作られた凹部６０３を含む。
したがって、ブリッジ部材の端面は、凹部６０３に位置し、この凹部によってエンドプレートに対する運動が妨げられる。ブリッジ部材は、凹部６０３でエンドプレートにおける穴部６０５を通って係合された、ねじ６０４によってプレートに固定され、そのねじは、エンドプレートに対してブリッジ部材を締めるように合わせられたねじとして、部分円筒状のレセプタクル４０９の端部へと係合する。
【００９３】
したがって、ブリッジ部材は、パネルに対して通常直角で伸びる２つの端部支持部材のそれぞれの１つに各端部で接続され、その結果、２つの端部支持部材およびブリッジ部材は、パネル内で支持構造体を形成する。その後、パネルは、それらのジョイントを係合することによって、およびブリッジ部材を取り付けることによってこの構造体の外側上で接続され、それにより、接続したパネルは、支持構造体に沿って摺動する。エンドプレート６０１および６０２は、電気部品の挿入及び／又は接続リード（ｃｏｎｎｅｃｔｉｏｎ  ｌｅａｄｓ）を可能にする中心穴６０６を有する。
【００９４】
底部プレート６０１は、適切な留め具によって部分５１に固定される（図示せず）。上部プレートは、レセプタクル７０の基盤７０１の支持部を形成する。
【００９５】
図１４において、レセプタクル７０は、以前に記載されたように、比較的小さく、縁部接続ジョイント２０および３０によって接続された２つのパネル７０２および７０３によって形成される。図４の方法での追加のパネルも、必要とされるレセプタクルの大きさに依存して提供され得る。底部プレート７０１は、以前に記載されたように、縁部コネクター２０および３０によって接続される穴部７０７を有する、２つの部分７０６および７０６において形成される。底部プレートは、レセプタクル１０Ｅおよび１１Ｅの端部へとプレートを通って伸びるねじによって、パネル７０２および７０３に固定される（図３）。
上部プレート７０４は、１つで形成され、ねじによって、パネル７０２および７０３に固定された閉じられた上部を形成する（図示せず）。パネル７０２および７０３の各々は、内部に近づくためのその壁を通る穴部７０９を含み、そのため、従来の構造体の電気コンセントは、ビークルなどからプラグの接続を可能にするために壁内に取り付けられ得、内部の電気部品に対する電気接続は、壁を通って内部に入り、この実施形態において、ほとんどの電気部品は、その状態（ｐｏｓｅ）で収容され、上部レセプタクルは、主として単に電気コンセントの支持部である。
【００９６】
図１５において、基盤５２、ポスト６０およびレセプタクル８０が提供される同様の配置が提供される。この場合、レセプタクルはかなり大きく、電気部品をすべて含むように意図される。この場合、レセプタクルは、パネル８０１および８０２ならびに上部プレート８０３から形成され、これら全ては、垂直側面を有する通常直角な構造体を形成する。パネル８０１は、レセプタクルの角を形成するために湾曲される。パネル８０２は、平らであり、電気コンセントのための穴部８０４および８０５を含む。この配置において、ブリッジ部材４０は、レセプタクルから省かれ、パネルの上部および底部のプレートへの固定は、レセプタクル１０Ｅ、１１Ｅへのねじ８０６の挿入によってのみ達成される。
【００９７】
ここで、図１６を参照すると、ポスト上に、または直接地面の基盤で取り付けることができるレセプタクル９０のさらなる配置が示される。ベースプレート９０１および上部プレート９０４は、以前に記載された方法で、穴部９１３を有するフラットパネル９０２、およびコーナーパネル９０３と接続される。
【００９８】
この実施形態において、上部プレート９０４の上に取り付けられ、縁部のまわりのスペーサパネル９０６および９０７から間隔を置かれて保持されたカバープレート９０５が提供される。パネル９０６および９０７は、形状でパネル９０２および９０３と一致し、同様の方法で付着する。冷却ダクト９１５は、レセプタクル９０を通って、プレート９０１における底部穴９１２からプレート９０４における上部穴９１４まで伸びる。冷却ダクトは、以前に記載されたように、ジョイント９１６およびレセプタクル９１１を使用して、２つの接続されたパネル９０９および９０９から形成される。パネル９０８および９０９の表面は、冷却フィン９１０を支持する。これらは、それぞれのパネルの表面から外側に伸び、ダクト９１５の内部または外部に突き出ることができるが、好ましくは、ダクトを介するエア通路と嵌まるように内部に伸びる。気流は、対流によって引き起こされ、底部穴９１２を通ってダクトに入り、上部穴９１４を通ってダクトを出て、上部プレート９０４とカバープレート９０５との間の領域に入る。パネル９０６は、空気が出るのを可能にする穴部を有する。したがって、パネルは、著しい外気熱が過熱を引き起こし得る位置で電気部品の冷却を達成するために使用され得る。したがって、この実施形態において、パネル９０８および９０９は、冷却フィンがハウジングの内側上に冷却ダクトを形成するように配される。
【００９９】
図１０に示されるように、パネルの少なくとも１つは、一般にそこから外側に伸びる外部上の複数の冷却フィン１２０を支持する。
【０１００】
図１２および１３に示されるように、パネル１３０および１４０のいくつかは、コンセントの取り付けのための穴部１４２を有する凹部１４１を定義する内部の角を形成するために一般に凹面であるように形作られる。したがって、穴部１４２は、以前に記載されたように、凹部において保護され、端に外側上に与えられるだけではない。これは、カバー１４３および摺動するフロントパネル１４４による穴部の保護を可能にする。カバー１４３およびパネル１４４の両方は、パネル１３０および１４０上のレセプタクル１４６に取り付けられた縁部ビード１４５を有し、それ故、摺動可能な外装パネルの縁部を受ける外部スロットが定義される。
【０１０１】
図４乃至１２に示されるように、ハウジングは、異なる断面のパネルを含む。したがって、図４に示されるように、パネル１９０のいくつかは、一般に断面が真っすぐかまたは平らであり、幾つかの１９１は、角を形成する。短いコネクターパネル１９２も提供され得る。
【０１０２】
したがって、図５に示されるように、パネル１９３のいくつかは、フラットパネルの後面に対して直角で伸びる、コネクター２０および３０を有するフラットプレート１９４を定義する。
【０１０３】
図６において、Ｔ状の断面は、フラットパネル１９０、部分円筒パネル１９７および逆にされたパネル１９８を使用して形成される。
【０１０４】
図７において、六角形の断面は、フラットパネル１９０、および短い６０度のコネクターパネル１９８を使用して形成される。
【０１０５】
図８において、円環状断面は、４つの部分円筒パネル１９７を使用して形成される。
【０１０６】
図９において、Ｄ状の断面は、部分円筒パネル１９７およびフラットプレートパネル１９３を使用して形成される。
【０１０７】
図１０において、楕円状の断面は、部分円筒パネル１９７および短いコネクターパネル１９８を使用して形成される。
【０１０８】
図１１において、三角形断面は、真っすぐなパネル１９０および短いコネクターパネル１９８を使用して形成される。
【０１０９】
異なる断面を形成するこの構造体は、パネルの各々の雄型接続部材が、同一の断面を有し、パネルの各々の雌型接続部材も同一の断面を有するために達成される。
【０１１０】
図１８は、ブリッジ部材４０の端部に対する凹部６２１がプレート６２０の外側縁部６２４から内部に間隔を置かれる、図１７の配置の変更を示し、その結果、パネル１０および１１（この図では図示されない）は、図１７でのようにプレートの外部に位置付けられるよりもプレートのより外側の外周に位置する。したがって、プレート６２０は、ハウジングの端部を完全に閉じる。
【０１１１】
ここで図１９乃至２４を参照すると、上部キャップ２０１および底部キャップ２０２を備える直角のポスト２００を含む、さらなる実施形態が示される。ポストは、以前に記載された構造体の複数のパネル２０３から形成され、その結果、以前に記載された特徴がすべて、ポスト２００の構造体またはそのための随意の配置として本明細書に組み込まれる。したがって、ハウジングまたはポスト２００は、パネルの上縁部を係合するための上端部キャップ部分２０５、および上端部キャップ部分２０５上に付けられる底端部キャップ部分２０６を含む。ポストは、パネル２０３の底縁部を係合するための下端部キャップ２０２を含む。
【０１１２】
上端部キャップ２０１および底端部キャップ２０２は、構造体において同一であり、各々、パネル２０３の端の縁部を受けるように形作られ配された外周部材を形成するために、縁部と縁部とで一緒に接続する区画２０７および２０８（図２０）に分けられる。したがって、各区画は、その上のパネルと一致し、それを受けるように、それぞれのパネルと平面において同じ形状を有する。すなわち、各区画は、パネルのそれぞれの１つの縁部を受ける。それ故、ポストが断面において直角である例において、ポストは、ポストの側面２１１に沿ってジョイント２１０で接続された２つの別々の半分のチャネル形状で形成される。同様に、端部キャップは、図２１に示されるように、側面のラップジョイント２１３に接続された２つの別々の半分のＵ字形で形成される。ラップジョイント２１３は、区画２０８の端部上のチャネルレセプタクル２１５へと側面に対して水平に且つ直角に摺動する１つの区画２０７の端部上にリブ挿入部２１４を形成する。したがって、キャップ２０１および２０２は、パネルから別々に形成され、その結果、組み立てられたチューブのそれぞれの端部を係合するためのリング用の端部キャップは、接続されたパネルによって定義される。パネルのスナップ接続および端部キャップのラップジョイントによって提供されるアセンブリの異なる形態により、それらは、端部キャップに付けられたパネルと接続する又は切り離すことはできない。
【０１１３】
各端部キャップは、受入れ壁の外側縁部のまわりの最も外側の従属性の垂直面壁２１７およびパネルの内側縁部２１９を係合し位置付けるための直立した内部に位置する壁２１８を備えた水平な受入れ壁２１６を含むことができる。したがって、上端部キャップは、壁２１６の下部表面２２０を有し、該壁に対してパネルが接合し、下部キャップはパネルが位置する上部表面２２１を有する。壁２１７の底縁部２２３は、その外側縁部のまわりにリップ２２４を有する。リップ２２４は、水が囲い上および囲いの側面へと流れることを防ぐ上部キャップの水切り棚として機能するが、代わりに、水が水玉状になり、端で地面に落ちる引き金となる。底縁部では、リップ２２４は、リップが囲いの底部に沿った締まりばめを確実なものにして位置する取付表面への封として機能する。リップは、底部表面に沿った最も弱い点であり、それによって、より好適な密封を生み出す平坦でない取付表面により従う。壁２１６は、端部キャップの上部表面上にパネルを位置付けするために以前に記載されたように、チャネル１Ｅへと係合するための隆起した（ｒａｉｓｅｄ）挿入部２４６を、その上部表面上に支持する。留め具ねじ（図示せず）は、この位置で挿入され得、パネルを適所に保持し、パネルの端部にキャップを付ける。端部キャップ部材の内部は、ハウジングの内側の部品のための２４８で示されるような取付連結を含み、これは、もちろん要件によって変更し得る。
【０１１４】
この動的柔軟性は、端部キャップが、一致する押出しが設定され得るあらゆる形状および大きさに相互連結することが可能となる、相互連結する雄雌側面から成るようなパネル１０３の押出し自体と同じ方法で達成される。これによって、容易に生産され、ベースおよび上部キャップを、押出しの囲いの思想の動的性質に合わせられた、押出しの囲いの任意の設計と一致するようにすることができる。
【０１１５】
ラップジョイント２１４、２１５は、水がジョイントを通り抜け、囲いに入ることを防ぐラップジョイントを作り出すために一緒に摺動することによって作用する。
【０１１６】
図１９、２１および２４において、充電するためのビークルのプラグ用の電気出力、または必要に応じて他の電源を提供する電気部品を取り囲む囲いが示される。囲いは伸長ポスト２００を提供し、ここで、該伸長ポストは、引き込まれた位置（図示せず）からのスリーブ部材内のシリンダーまたはリニアモーターなどの適切な駆動機構２４７によって駆動される、垂直移動２２６のための垂直のスリーブ部材２２５に取り付けられ、その引き込まれた位置において該ポストは、スリーブ部材２２５の上部で上部キャップ２０１を有するスリーブ部材２２５内に展開した位置で含まれ、その展開した位置において、該ポストは、スリーブ部材２２５から上に向かって立ち２００、収容された部品の操作部品をユーザーに提示する。スリーブ部材２２５は地下で取り付けられ得、その結果、ポストは、その上部プレートが地表面にあるように地下で引き込まれるか、またはスリーブ部材は、ポスト２００に対する保護を提供する、コンクリートポストなどの地面から伸びる固形部材を形成することができる。
【０１１７】
ポストは、上部端にビークルの電気プラグ用のレセプタクル（図示せず）を支持するための開口部２２７を備える電気コンセント部材２２６を有する。
【０１１８】
電気コンセント部材２２６は、ポスト２００の外側表面から内部に窪んだ、複数の壁２２９および２３０並びに側壁２３１を形成する。壁２２９、２３０および２３１は、前面２３４における開口部２３５でのポストの平らな前表面２３４でパネル２３３の内表面上に付けられたプレート２３２上に支持される。レセプタクル２２８は、前表面２３４の開口部２３５の上縁部２３６から下方へ且つ内部に傾けられる電気コンセント部材２２６の壁２３０の１つに取り付けられる。壁２３０は、４５度の角度で配される。レセプタクル内の４５度の下方の面において電気コンセントを取り付けることは、主として、時間をかけて損傷となり得る、追加のフラップまたはカバーを使用しない直接の天候から電気コンセントを保護するために、屋外および風雨での使用に関する多くの利点を達成することが目的である。
【０１１９】
プレート２３２は、押出しの囲いの内部から開口部の端のまわりの耐水ラップ封とともに外部の又は可視の締結装置なしで設置される。
【０１２０】
様々な変更が本明細書で上に記載されるように本発明においてなされ、同様の明らかに広い異なる実施形態が、このような精神および範囲から逸脱することなく請求項の精神および範囲内で作られるため、付随する明細書に含まれる事柄がすべて、例示としてのみ解釈され、限定する意味では解釈されないことが意図される。
【図１】
2013534128.tif 000003
【図２】
2013534128.tif 000004
【図３】
2013534128.tif 000005
【図４】
2013534128.tif 000006
【図５】
2013534128.tif 000007
【図６】
2013534128.tif 000008
【図７】
2013534128.tif 000009
【図８】
2013534128.tif 000010
【図９】
2013534128.tif 000011
【図１０】
2013534128.tif 000012
【図１１】
2013534128.tif 000013
【図１２】
2013534128.tif 000014
【図１３】
2013534128.tif 000015
【図１４】
2013534128.tif 000016
【図１５】
2013534128.tif 000017
【図１６】
2013534128.tif 000018
【図１７】
2013534128.tif 000019
【図１８】
2013534128.tif 000020
【図１９】
2013534128.tif 000021
【図２０】
2013534128.tif 000022
【図２１】
2013534128.tif 000023
【図２２】
2013534128.tif 000024
【図２３】
2013534128.tif 000025
【図２４】
2013534128.tif 000026
【国際調査報告】
2013534128.tif 000027
2013534128.tif 000028
2013534128.tif 000029